(57)【特許請求の範囲】
【請求項１】
トイレブースを構成するドアパネルや袖パネルの側端に取り付けされるパネルエッジの下端に取着されるエッジカバーにおいて、該エッジカバーは脚とエッジ部から成り、エッジ部はパネルエッジの表面形状とほぼ同じ形状を成して連続して繋がり、縁は丸みを有す曲面にて形成し、パネルの側端には脚を介してネジ止めされ、そしてエッジ部の外側部はパネル下端面に当接すると共にパネル表面から僅かにはみ出してパネルエッジの側片下端を被覆することを特徴とするパネルエッジのエッジカバー。
【請求項２】
トイレブースを構成するドアパネルや袖パネルの側端に取り付けされるパネルエッジの下端に位置するエッジカバーにおいて、該エッジカバーは脚とエッジ部から成り、エッジ部はパネルエッジの表面形状とほぼ同じ形状を成して連続して繋がり、縁は丸みを有す曲面にて形成し、一方の脚はその両側に係止部を有し、パネルの側端には脚を介してネジ止めされ、そしてエッジ部の外側部はパネル下端面に当接すると共にパネル表面から僅かにはみ出してパネルエッジの側片下端を被覆すると共に、脚の係止部にはパネルエッジの両側に形成している係止片が係止して取り付けされることを特徴とするパネルエッジのエッジカバー。
【発明の詳細な説明】
【０００１】
【産業上の利用分野】
本発明はパネル側端に取付けられるパネルエッジであって、パネルエッジの下端に足が接触した際にケガしないように該パネルエッジ下端に取り付けするエッジカバーに関するものである。
【０００２】
【従来の技術】
ヒンジを介して開閉するドアパネル側端及び袖パネル側端にはパネルエッジが取付けられている。このパネルエッジは該パネル側端をカバーしてパネルの外観を向上させると共に、開閉時にパネルの角部に接してもケガしないように考慮したものであり、その形状は一般に丸みを持っている。
【０００３】
図６はトイレ用ドアパネル側端及び袖パネル側端に取着しているパネルエッジを示しているが、同図から明らかなように、ドアパネル(イ) 側端のパネルエッジ(ハ) は滑らかな凸状面をした長尺材であり、ドアパネル(イ) の側端にビス(ホ) を介して固定されている。同じく、袖パネル(ロ) の側端に取着しているパネルエッジ（ニ)は滑らかな凹状面を成してビス止めされている。
【０００４】
このようにドアパネル(イ) 及び袖パネル(ロ) の側端にパネルエッジ(ハ) 、（ニ)を取り付けすることにより、パネル側端に触れてもケガをすることはなくなる。しかし、ドアを開いた際にドアパネル(イ) の下端及び袖パネル下端に足が接してケガをするケースがある。図７に示すように、ドアパネル下端のＡ部及び袖パネル下端のＢ部に足が触れる。
【０００５】
【本発明が解決しようとする課題】
このように従来のパネルエッジにはあくまでもパネル側端の外観を良くする為であり、又パネル側端に触れてもケガしないようにしたものであるが、その下端は切りっぱなしの状態であることから、足が触れることでケガをするケースがある。本発明が解決しようとする課題はこの問題点であり、パネルエッジ下端に接触してもケガをすることがないようにしたエッジカバーを提供する。
【０００６】
【課題を解決するための手段】
本発明のエッジカバーはパネルエッジの下端に取り付けされる部材であって、このエッジカバーは脚とエッジ部からなり、脚はパネル側端にネジ止めにて取着される。エッジ部の形状はパネルエッジとほぼ同じであって、パネルエッジがそのまま延長しているごとき外観を呈している。しかし、エッジ部の表面の方が僅かに突出して形成することもあるが、縁は角張らないように曲面と成っている。ここで、脚はパネル側端にネジ止めされるが、パネルエッジと共にネジ止めする場合、又は単独にてネジ止めする場合がある。
【０００７】
【発明の実施の態様】
本発明のエッジカバーには２通りがあって、パネル側端にネジ止めしたパネルエッジの下端に取り付けし、足が接触してもケガしないようにする場合、一方、ケガ防止の他にエッジカバーをパネル側端にネジ止めすると共にこの脚を利用してパネルエッジを取り付けする場合である。前者の場合にはパネルエッジを直接ネジ止めすることでネジの頭が外部に露出するが、後者の場合にはパネルエッジ面にネジ頭が露出することはない。脚の両側には係止部が設けられ、パネルエッジ両側の係止片が係止することでネジなしで取り付けすることが出来る。以下、本発明に係る実施例を図面に基づいて詳細に説明する。
【０００８】
【実施例】
図１は本発明のエッジカバーを示す実施例である。エッジカバーは樹脂の成形品で、同図の１は脚、２はエッジ部を示し、脚１はエッジ部２から起立し、中央には穴３が貫通している。エッジ部２は比較的厚く、これはパネルエッジの厚さに相当し、その形状はパネルエッジと同じになっている。エッジカバーはパネル側端に取り付けされるパネルエッジの下端に取着され、パネルエッジはエッジ部２の長さだけ延びた状態となる。
【０００９】
エッジカバーのエッジ部２はその縁が角張っておらず、曲率半径は小さいが曲面を成している。図２はパネル４の側端５に取着されるパネルエッジ６と前記図１に示しているエッジカバー７を示している。側端５は段差を有し、下端にはネジ穴８が形成され、エッジカバー７を側端５の下端に当てがうと共にパネルエッジ６を側端５に配置してネジ止めされる。ネジ９はパネルエッジ側からエッジカバー７の穴３を貫通して側端のネジ穴８に螺合する。
【００１０】
図３はパネルエッジ６とエッジカバー７が取り付けされた状態を示している。同図に示すように、エッジカバー７のエッジ部２はパネルエッジ６の下端に連続し、すなわち最下端に位置することで足が接触してもケガしないようになる。同図に示す実施例ではエッジ部２の厚さが僅かに大きくなっていることで、パネルエッジ面から突出した状態にある。
【００１１】
図４（ａ）〜（ｃ）は本発明のエッジカバーを示す他の実施例である。同図のエッジカバーも前記実施例と同じく、脚１０とエッジ部１１から成り、樹脂の成形品である。そしてエッジ部１１の縁１２は丸みを有し、触れてもケガすることはない。ところで、このエッジカバーはパネル側端にネジ止めされ、パネルエッジの下端に配置されることは前記実施例のエッジカバーと同じであるが、脚１０にはパネルエッジが取り付けされる。すなわち、ケガ防止だけでなく、パネルエッジを取り付けする機能を備えている。
【００１２】
勿論、エッジ部１１の形状は前記実施例とは異なるが、このエッジ部１１はパネル側端に取り付けされるパネルエッジの外表面形状と共通し、パネルエッジとの間に段差を残すことなく繋がれることが必要となる。そして脚１０には２個の穴１３、１３が形成され、この穴１３にネジが貫通してパネル側端に固定される。そして脚１０の両側には係止部１４、１５が設けられ、この係止部１４、１５にパネルエッジの両側係止片が係止して取り付けされ得る。
【００１３】
図５はこのエッジカバーの脚１０にパネルエッジ１６を取着した場合の断面図を示している。パネルエッジ１６には係止片１７ａ，１７ｂが設けられ、係止片１７ａは脚１０に形成している係止部１４に、他方の係止片１７ｂは係止部１５にそれぞれ係止することで取り付けされる。そこで、エッジカバーはパネル側端の下にネジ止めされ、このエッジカバーの脚１０にパネルエッジ１６が取着され、該パネルエッジ１６の表面にはネジの頭は存在しない。勿論、パネル側端の下端に設けたエッジカバーでは、取着されるパネルエッジ１６が安定しない為に、上端及び中間部のエッジ部のない脚だけを取着することが出来る。又、図５に示しているように、パネルエッジ１６の両側には側片１８ａ，１８ｂを延ばし、側片１８ａ，１８ｂはパネル表面２０ａ，２０ｂに当接して取付けられている。すなわち、両側片１８ａ，１８ｂにてパネル４を挟み込む状態で取付けられ、その為に本発明のエッジカバーのエッジ部１１の外側部１９ａ，１９ｂはパネル下端面に当接すると共にパネル表面２０ａ，２０ｂからパネルエッジ１６の側片１８ａ，１８ｂが載るように僅かにはみ出している。すなわち、パネルエッジ１６の側片１８ａ，１８ｂの下端を外側部１９ａ，１９ｂが被覆している。
【００１４】
以上述べたように、本発明のエッジカバーは脚とエッジ部を有し、該脚を介してパネルの側端にネジ止めすると共に、エッジ部はパネルエッジを連続した状態で配置したものであり、次のような効果を得ることが出来る。
【００１５】
【発明の効果】
本発明のエッジカバーをパネル側端に取り付けしてパネルエッジの下端にエッジ部を配置するならば、切りっぱなしのパネルエッジ下端はカバーされ、足が触れてもケガをすることはなくなる。従ってトイレのドアパネル側端や袖パネル側端の下端に取り付けすることでその効果は大きい。又、側端上部にも同じエッジカバーを取着することが可能であり、パネルの外観は良くなる。
【００１６】
一方、エッジカバーをパネル側端に前以て取着し、このエッジカバーの脚を利用してパネルエッジを取り付けすることが出来る。すなわち、脚の両側には係止部を設け、パネルエッジ両側に形成した係止片を係止部に係止することで取り付けすることが出来る。従ってパネルエッジ表面には取着する為のネジ頭が露出することはなく、外観が一段と向上する。
【図面の簡単な説明】
【図１】本発明のエッジカバーを示す実施例。
【図２】パネル側端にエッジカバーとパネルエッジを取り付けする前の段階。
【図３】パネルエッジ下端にエッジカバーを取着した状態。
【図４】本発明のエッジカバーを示す他の実施例。
【図５】エッジカバーの脚にパネルエッジを取着した断面図。
【図６】ドアパネル及び袖パネルにパネルエッジを取着した断面図。
【図７】トイレブースの入口部外観。
【符号の説明】
１  脚
２  エッジ部
３  穴
４  パネル
５  側端
６  パネルエッジ
７  エッジカバー
８  ネジ穴
９  ネジ
10  脚
11  エッジ部
12  縁
13  穴
14  係止部
15  係止部
16  パネルエッジ
17  係止片
【図１】
0003882158.tif 000002
【図２】
0003882158.tif 000003
【図３】
0003882158.tif 000004
【図４】
0003882158.tif 000005
【図５】
0003882158.tif 000006
【図６】
0003882158.tif 000007
【図７】
0003882158.tif 000008